(57)【要約】  【課題】  サイズが異なる複数の原稿をＡＤＦに載置した場合の読取／記録を行える機能（サイズ混載処理機能）と、記録用紙にパンチユニットにて孔をあける機能（パンチ処理機能）とが同時に設定されている場合に発生する不具合（所望の位置でない箇所への孔あけ、ジャム発生など）を未然に防止する記録装置を提供する。  【解決手段】  サイズ混載処理機能とパンチ処理機能とが同時に設定された場合には、原稿の読取処理を禁止して、「サイズ混載処理時には、パンチ処理を行えません」というメッセージをユーザに表示する。但し、サイズ混載処理機能とパンチ処理機能とが同時に設定されていても、原稿サイズに関係なく１種類のサイズの用紙に記録する機能（サイズ指定記録処理機能）が設定されていれば、原稿の読取処理を許可する。【選択図】      図３
2005130289.tif 000002
【特許請求の範囲】
【請求項１】
サイズが異なる複数の原稿夫々をサイズを検知して読み取った画像をサイズが適した用紙に記録する読取／記録処理と、画像を記録した用紙に孔をあけるパンチ処理とが可能な記録装置において、前記読取／記録処理の指示を受け付ける第１受付手段と、前記パンチ処理の指示を受け付ける第２受付手段と、前記第１及び第２受付手段にて前記読取／記録処理及びパンチ処理の指示を受け付けた場合に、原稿の読取りを禁止する禁止手段とを備えることを特徴とする記録装置。
【請求項２】
読み取った原稿の画像を該原稿のサイズに関係なく、一定のサイズの用紙に記録する記録処理の指示を受け付ける第３受付手段を更に備えており、該第３受付手段にて前記記録処理の指示を受け付けた場合に、前記禁止手段による原稿の読取りの禁止を解除するようにしたことを特徴とする請求項１記載の記録装置。
【請求項３】
前記禁止手段が原稿の読取りを禁止している旨を報知する手段を更に備えることを特徴とする請求項１記載の記録装置。
【発明の詳細な説明】
【技術分野】
【０００１】
本発明は、パンチ処理機能付きの記録装置に関する。
【背景技術】
【０００２】
画像データに応じた画像が記録された１または複数枚の用紙の一側端における所定の一箇所または複数箇所に、パンチユニット（穴あけ器）で孔をあける機能、つまりパンチ処理機能を備えた記録装置が種々提案されている（例えば、特許文献１乃至３参照）。このような記録装置においてパンチ処理機能がユーザによって選択されている場合、孔あけ対象の記録用紙が一旦パンチ処理トレイに蓄積され、記録用紙が揃えられた後に、パンチユニットによってこれらの複数の記録用紙に孔があけられ、孔があけられた記録用紙が外部トレイへ排出される。このようなパンチ処理機能は、自動的に孔あけを行えるので、ユーザにとって便利な機能である。
【特許文献１】特開平１１−１４７６６３号公報
【特許文献２】特開平１１−２５５４１９号公報
【特許文献３】特開２００１−１８８４４３号公報
【発明の開示】
【発明が解決しようとする課題】
【０００３】
ところで、自動原稿給送部（ＡＤＦ）に異なるサイズの原稿が載置されており、それらの各原稿のサイズを自動的に検知して、原稿サイズと一致するサイズの用紙にその原稿の読み取った画像を正しく記録できる読取／記録処理機能（以下、サイズ混載処理機能という）を備えた記録装置も汎用されている。このようなサイズ混載処理機能と上記パンチ処理機能とを兼ね備えた記録装置にあって、異なるサイズの原稿がＡＤＦに載置されている可能性が高いサイズ混載処理機能が設定されている場合に、パンチ処理機能が指示された場合には、サイズが最も大きい記録用紙に合わせて揃えた後にパンチ処理を施すため、サイズが小さい記録用紙は斜めになって、所望の位置に孔をあけられなかったり、外部トレイへの搬送経路内でジャムを起こすなどの問題がある。
【０００４】
本発明は斯かる事情に鑑みてなされたものであり、サイズ混載処理機能及びパンチ処理機能が同時に指定された場合には、原稿の読取りを禁止するようにすることにより、上述したような不具合を未然に防止できる記録装置を提供することを目的とする。
【課題を解決するための手段】
【０００５】
請求項１に係る記録装置は、サイズが異なる複数の原稿夫々をサイズを検知して読み取った画像をサイズが適した用紙に記録する読取／記録処理と、画像を記録した用紙に孔をあけるパンチ処理とが可能な記録装置において、前記読取／記録処理の指示を受け付ける第１受付手段と、前記パンチ処理の指示を受け付ける第２受付手段と、前記第１及び第２受付手段にて前記読取／記録処理及びパンチ処理の指示を受け付けた場合に、原稿の読取りを禁止する禁止手段とを備えることを特徴とする。
【０００６】
請求項１にあっては、第１受付手段にて読取／記録処理（サイズ混載処理）が受け付けられ、かつ、第２受付手段にてパンチ処理が受け付けられた場合には、禁止手段にて原稿の読取りを禁止する。よって、所望の位置でない箇所への孔あけ、ジャム発生などの不具合が起こらない。
【０００７】
請求項２に係る記録装置は、請求項１において、読み取った原稿の画像を該原稿のサイズに関係なく、一定のサイズの用紙に記録する記録処理の指示を受け付ける第３受付手段を更に備えており、該第３受付手段にて前記記録処理の指示を受け付けた場合に、前記禁止手段による原稿の読取りの禁止を解除するようにしたことを特徴とする。
【０００８】
請求項２にあっては、何れのサイズの原稿でも画像の拡大／縮小処理により一定のサイズの用紙にその画像を記録する記録処理（以下、サイズ指定記録処理という）が、第３受付手段にて受け付けられている場合には、禁止手段による原稿の読取りの禁止を解除する。サイズ指定記録処理が指定されている場合には、原稿サイズが異なっていても記録用紙のサイズが同じであるため、上述したような不具合は生じないため、原稿の読取りを禁止する必要がない。
【０００９】
請求項３に係る記録装置は、請求項１において、前記禁止手段が原稿の読取りを禁止している旨を報知する手段を更に備えることを特徴とする。
【００１０】
請求項３にあっては、禁止手段が原稿の読取りを禁止している旨を報知してユーザに知らせる。よって、読取りが禁止されている原因をユーザは容易に理解する。
【発明の効果】
【００１１】
本発明では、サイズ混載処理機能及びパンチ処理機能が同時に指定された場合には、原稿の読取りを禁止するようにしたので、所望の位置でない箇所への孔あけ、ジャム発生などの不具合を未然に防止することができる。
【００１２】
また、本発明では、サイズ混載処理機能及びパンチ処理機能が同時に設定されていても、サイズ指定記録処理機能が設定されている場合には、原稿の読取りの禁止を解除するようにしたので、上述したような不具合が生じることなく、サイズ混載処理及びパンチ処理を同時に問題なく実行することができる。
【００１３】
更に、本発明では、原稿の読取りを禁止している旨をユーザに知らせるようにしているので、ユーザは読取り禁止の原因が容易に分かるため、ユーザの使い勝手を向上することができる。
【発明を実施するための最良の形態】
【００１４】
以下、本発明をその実施の形態を示す図面を参照して具体的に説明する。図１は、本発明の記録装置としてのファクシミリ複合装置２０の構成を示すブロック図である。
【００１５】
ファクシミリ複合装置２０は、制御部１，読取部２，記録部３，表示部４，操作部５，符号化・復号化部６，ＲＯＭ７，ＲＡＭ８，画像メモリ９，画像拡大／縮小部１０，モデム１１，ＮＣＵ（Network Control Unit）１２，ＰＣインタフェース部１３などを備えている。ファクシミリ複合装置２０は、読取部２にて原稿を読み取って画像データを得る読取機能、読み取った画像データ、ファクシミリ通信により受信した画像データ、またはＰＣインタフェース部１３を介してＰＣから受信した画像データに応じた画像を記録部３にて記録する記録機能、及び、読み取った画像データまたは受信した画像データをファクシミリ送信する送信機能を併せ持っている。
【００１６】
制御部１は、具体的にはＣＰＵで構成されており、バス１４を介してファクシミリ複合装置２０の上述したようなハードウェア各部と接続されていて、それらを制御すると共に、ＲＯＭ７に格納された制御プログラムに従って、種々のソフトウェア的機能を実行する。
【００１７】
読取部２は、例えばＣＣＤを利用した光学系で原稿を読み取り、読み取った画像データを出力する。記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。
【００１８】
図２は、読取部２及び記録部３の構成を示す概略図である。読取部２は、載置された１または複数の原稿Ｄを１部ずつ読取位置へ給送し、更に排紙位置まで搬送するＡＤＦ２１と、読取位置に給送された原稿を読み取って走査する光学系２２とを備える。光学系２２は、読取位置に光を照射するランプ２２１、原稿の走査光を反射する複数のミラー２２２、集光用のレンズ２２３、ＣＣＤアレイからなるイメージセンサ２２４などを有する。ＡＤＦ２１には、載置された原稿のサイズを検知するサイズ検知センサ（図示せず）が設けられており、操作部５のサイズ混載処理キー５ａによってサイズ混載処理機能が設定されている場合には、載置された複数の原稿夫々のサイズを自動的に検知して、その検知した原稿サイズと一致するサイズの用紙に原稿の読み取った画像を正しく記録するサイズ混載処理機能を果たせるようになっている。
【００１９】
記録部３は、画像データに応じたレーザ光を発するレーザ発光部３１、レーザ発光部３１を駆動する駆動部３２、レーザ光が照射されて潜像を表面に形成する感光ドラム３３、感光ドラム３３の潜像を現像してトナー像を形成する現像器３４、トナー像を用紙に転写する転写器３５、転写されたトナー像を用紙に定着する定着器３６、異なるサイズの用紙Ｐを収容する給紙カセット３７，３８、記録用紙をパンチ処理用に積層するパンチ処理トレイ３９、積層された複数の記録用紙の所定位置に孔をあけるパンチユニット４０、排出される記録用紙を収容する外部トレイ４１などを備えている。操作部５のパンチ処理キー５ｂによってパンチ処理機能が設定されている場合には、記録用紙がパンチ処理トレイ３９に送られて順次積層され、その用紙束の両側端が揃えられた後、パンチユニット４０によって所定位置に孔があけられて外部トレイ４１へ排出されるようになっている。このようなパンチ処理機能が設定されていない場合には、記録用紙はそのまま外部トレイ４１へ排出される。また、操作部５のサイズ指定記録処理キー５ｃによってサイズ指定記録処理機能が設定されている場合には、ＡＤＦ２１にどのようなサイズの原稿が載置されていても、その設定された１種類のサイズの用紙（給紙カセット３７，３８のいずれかに収容された用紙）にのみ、原稿を読み取って得られる画像データに応じた画像を記録するようになっている。
【００２０】
表示部４は、液晶表示装置またはＣＲＴディスプレイ等の表示装置であり、ファクシミリ複合装置２０の動作状態を表示したり、ユーザへ警告を発する画面またはユーザへ操作入力を促す画面を表示したり、送信すべく読み取った原稿の画像データ、他のファクシミリ装置またはＰＣから送信された画像データなどの表示を行う。
【００２１】
操作部５は、ファクシミリ複合装置２０を操作するために必要な文字キー，テンキー，短縮ダイヤルキー，ワンタッチダイヤルキー，各種のファンクションキーなどを備えている。操作部５は、ファンクションキーとして、サイズ混載処理機能の選択／非選択をユーザが設定するためのサイズ混載処理キー５ａと、パンチ処理機能の選択／非選択をユーザが設定するためのパンチ処理キー５ｂと、サイズ指定記録処理機能の選択／非選択をーザが設定するためのサイズ指定記録処理キー５ｃと、原稿の読取りを開始する読取開始キー５ｄとを有する。ユーザによるサイズ混載処理キー５ａ及びパンチ処理キー５ｂの操作により、サイズ混載処理機能及びパンチ処理機能の両方が設定される場合には、読取開始キー５ｄのキー入力が受け付けられないようになっている。但し、これらのサイズ混載処理機能及びパンチ処理機能の両方が設定される場合でも、更にユーザによるサイズ指定記録処理キー５ｃの操作により、サイズ指定記録処理機能が設定されているときには読取開始キー５ｄのキー入力を受け付けるようになっている。なお、表示部４をタッチパネル方式とすることにより、操作部５の各種のキーの内の一部または全部を代用することも可能である。
【００２２】
符号化・復号化部６は、画像データを符号化圧縮すると共に、符号化圧縮されている画像データを復号する。ＲＯＭ７は、ファクシミリ複合装置２０の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。画像メモリ９は、ＤＲＡＭ等で構成され、原稿を読み取って符号化した画像データ、他のファクシミリ装置またはＰＣから受信して符号化した画像データなどを蓄積する。画像拡大／縮小部１０は、サイズ指定記録処理機能が設定されている場合など、必要に応じて、画像データに対して拡大処理または縮小処理を施す。
【００２３】
モデム１１は、バス１４に接続されており、ファクシミリ通信が可能なファクシミリモデムから構成されている。また、モデム１１は、同様にバス１４に接続されたＮＣＵ１２と直接的に接続されている。ＮＣＵ１２は、公衆電話回線網（ＰＳＴＮ：Public Switched Telephone Network)との回線Ｌ１の閉結及び開放の動作を行うハードウェアであり、必要に応じてモデム１１をＰＳＴＮと接続する。そして、ファクシミリ複合装置２０は、ＰＳＴＮによって他のファクシミリ装置と接続されており、通常のファクシミリ通信が行えるようになっている。ＰＣインタフェース部１３は、ＬＡＮ等の通信線Ｌ２を介して外部のＰＣに接続されており、ＰＣとの間でデータのやりとりを行う。そして、外部のＰＣで作成・編集された各種の画像データが通信線Ｌ２を介してファクシミリ複合装置２０（ＰＣインタフェース部１３）へ送信され、送信された画像データに応じた画像がファクシミリ複合装置２０（記録部３）にて用紙にプリントアウトされるようになっている。
【００２４】
本発明のファクシミリ複合装置２０は、読取部２により原稿を走査して読み取った画像データ、回線Ｌ１を介してファクシミリ通信によって受信した画像データ、及び、通信線Ｌ２を介して外部のＰＣから受信した画像データに応じた画像を記録部３にて用紙に記録する。この際、ユーザによりパンチ処理キー５ｂにてパンチ処理機能が設定されている場合、画像データに応じた１または複数の記録用紙がパンチユニット４０によって所定位置に孔があけられて外部トレイ４１へ排出される。
【００２５】
但し、パンチ処理機能がサイズ混載処理機能と同時に設定された場合には、ＡＤＦ２１に載置された原稿の読取処理が禁止される。しかし、これらの両機能が設定されている場合でも、更にサイズ指定記録処理機能が設定されているときには、その禁止を解除してＡＤＦ２１に載置された原稿の読取りを行えるようにしても良い。
【００２６】
以下、本発明のファクシミリ複合装置２０の動作について説明する。図３は、この動作手順の一例を示すフローチャートである。
【００２７】
まず、制御部１は、読取開始キー５ｄが押されたか否かを判断し（ステップＳ１）、押された場合には（Ｓ１：ＹＥＳ）、サイズ混載処理機能が設定されているか否かをサイズ混載処理キー５ａの操作状態に基づいて判断する（ステップＳ２）。サイズ混載処理機能が設定されている場合（Ｓ２：ＹＥＳ）、制御部１は、パンチ処理機能が設定されているか否かをパンチ処理キー５ｂの操作状態に基づいて判断する（ステップＳ３）。そして、パンチ処理機能が設定されている場合（Ｓ３：ＹＥＳ）、即ちサイズ混載処理機能及びパンチ処理機能が設定されている場合には、原稿の読取処理を開始させずに、「サイズ混載処理時には、パンチ処理を行えません」というメッセージを表示部４に表示して（ステップＳ４）、動作が終了する。
【００２８】
一方、サイズ混載処理機能が設定されていない場合（Ｓ２：ＮＯ）、または、パンチ処理機能が設定されていない場合（Ｓ３：ＮＯ）、読取開始キー５ｄの押下を有効として、原稿の画像を読み取り、得られる画像データに応じた画像を用紙に記録する読取／記録処理を実行して（ステップＳ５）、動作が終了する。
【００２９】
この例では、サイズ混載処理とパンチ処理とが同時に設定された場合に、原稿の読取りを禁止するようにしているため、無駄になる読取処理を行わずに、所望の位置でない箇所への孔あけ、ジャム発生などの不具合を未然に防止できる。また、このような場合に、原稿の読取りが行えない原因をメッセージ表示するようにしているため、原因がユーザに知らされるので、ユーザが戸惑うことはない。
【００３０】
図４は、本発明のファクシミリ複合装置２０の動作手順の他の例を示すフローチャートである。
【００３１】
まず、制御部１は、読取開始キー５ｄが押されたか否かを判断し（ステップＳ１１）、押された場合には（Ｓ１１：ＹＥＳ）、サイズ混載処理機能が設定されているか否かをサイズ混載処理キー５ａの操作状態に基づいて判断する（ステップＳ１２）。サイズ混載処理機能が設定されている場合（Ｓ１２：ＹＥＳ）、制御部１は、パンチ処理機能が選択されているか否かをパンチ処理キー５ｂの操作状態に基づいて判断する（ステップＳ１３）。パンチ処理機能が設定されている場合（Ｓ１３：ＹＥＳ）、制御部１は、サイズ指定記録処理機能が設定されているか否かをサイズ指定記録処理キー５ｃの操作状態に基づいて判断する（ステップＳ１４）。そして、サイズ指定記録処理機能が設定されていない場合（Ｓ１４：ＮＯ）、即ちサイズ混載処理機能及びパンチ処理機能が設定されていてサイズ指定記録処理機能が設定されていない場合には、原稿の読取処理を開始させずに、「サイズ混載処理時には、パンチ処理を行えません」というメッセージを表示部４に表示して（ステップＳ１５）、動作が終了する。
【００３２】
一方、サイズ混載処理機能が設定されていない場合（Ｓ１２：ＮＯ）、パンチ処理機能が設定されていない場合（Ｓ１３：ＮＯ）、または、サイズ混載処理機能及びパンチ処理機能に加えてサイズ指定記録処理機能も設定されている場合（Ｓ１４：ＹＥＳ）、読取開始キー５ｄの押下を有効として、原稿の画像を読み取り、得られる画像データに応じた画像を用紙に記録する読取／記録処理を実行して（ステップＳ１６）、動作が終了する。
【００３３】
この例では、サイズ混載処理とパンチ処理とが指定されていても、同時にサイズ指定記録処理が指定されているときには、読取開始キー５ｄの押下を有効として原稿の読取りを開始し、読取／記録処理を実行するようにしている。この場合、全ての記録用紙が一定サイズであるため、上述したような不具合は発生せず、サイズ混載処理機能及びパンチ処理機能を問題なく果たすことができる。
【００３４】
なお、上述した例では警告メッセージを表示してユーザに報知するようにしたが、警告メッセージを音声にてユーザに報知するようにしても良い。
【００３５】
また、上述した実施の形態ではファクシミリ複合装置を例として説明したが、ファクシミリ装置、ディジタル複写機、プリンタなど、パンチ処理機能及びサイズ混載処理機能を搭載した全ての装置に本発明を適用できることは勿論である。
【図面の簡単な説明】
【００３６】
【図１】本発明のファクシミリ複合装置の構成を示すブロック図である。
【図２】本発明のファクシミリ複合装置の読取部及び記録部の構成を示す概略図である。
【図３】本発明のファクシミリ複合装置の動作手順の一例を示すフローチャートである。
【図４】本発明のファクシミリ複合装置の動作手順の他の例を示すフローチャートである。
【符号の説明】
【００３７】
１  制御部
２  読取部
３  記録部
４  表示部
５  操作部
５ａ  サイズ混載処理キー
５ｂ  パンチ処理キー
５ｃ  サイズ指定記録処理キー
５ｄ  読取開始キー
７  ＲＯＭ
２０  ファクシミリ複合装置
２１  ＡＤＦ
４０  パンチユニット
【図１】
2005130289.tif 000003
【図２】
2005130289.tif 000004
【図３】
2005130289.tif 000005
【図４】
2005130289.tif 000006